(57)【要約】【課題】支柱が地面に潜り込むことなく、また、頂冠具がずり下がることなく、且つ、容易に雪吊りができる樹木の枝の損傷防止用支持具を実現すること。【解決手段】樹木の枝の損傷防止用支持具１では、支柱２の上部に固定される頂冠具１０と、支柱２の下部に固定される基台３とから構成されている。支柱２の下部は、基台３の筒状体６に貫入されて支持される。また、頂冠具１０の掛止孔１３に掛止されたフック１４に、吊紐１８の上端部の環状部が引っ掛けられ、吊紐１８の下端部が樹木１９の枝１９ａに結束されて、雪吊りがなされる。【選択図】図１
0003120798.tif 000002
【実用新案登録請求の範囲】
【請求項１】
支柱の上部に固定される頂冠具と、
当該支柱の下端部に固定される基台とを備え、
前記頂冠具は、
支柱の上部が固定される支柱上部固定部と、
吊紐が取り付けられるフックが掛止される複数の掛止孔とを備え、
前記基台は、
支柱の下部が固定される支柱下部固定部と、
前記支柱の断面積より広い底面積を有する接地部材とを備えたことを特徴とする樹木の枝の損傷防止用支持具。
【請求項２】
前記頂冠具の支柱上部固定部は、当該頂冠具の下面の中心部に設けられた筒状体であり、
当該筒状体には、その口径方向に貫通する第１のボルトが設けられ、
当該第１のボルトが前記支柱の上部を貫通して、前記頂冠具を前記支柱の上部に固定することを特徴とする請求項１に記載の樹木の枝の損傷防止用支持具。
【請求項３】
前記頂冠具の支柱上部固定部は、当該頂冠具の中心部に螺設された第２のボルトであり、
当該第２のボルトの先端部を前記支柱の上端部に打ち込まれたアンカーに螺合させて、前記頂冠具が前記支柱の上部に固定されることを特徴とする請求項１に記載の樹木の枝の損傷防止用支持具。
【請求項４】
前記頂冠具の支柱上部固定部は、当該頂冠具の下面の中心部に、同心円状に設けられた複数の筒状体であり、
当該複数の筒状体の間に、パイプから構成された支柱の上部が貫入して前記頂冠具を前記支柱の上部に固定することを特徴とする請求項１に記載の樹木の枝の損傷防止用支持具。
【請求項５】
前記頂冠具の支柱上部固定部は、当該頂冠具の中心部に溶接された第３のボルトであり、
当該第３のボルトの先端部を前記支柱の上端部に打ち込まれたアンカーに螺合させて、前記頂冠具が前記支柱の上部に固定されることを特徴とする請求項１に記載の樹木の枝の損傷防止用支持具。
【請求項６】
前記基台の接地部材は板状部材から構成され、当該板状部材にはボルト又は杭を貫通させる貫通孔が複数孔設され、
前記板状部材の中央には、支柱の下部が挿入又は外嵌される支柱下部固定部としての筒状体が立設されていることを特徴とする請求項１乃至５の何れかに記載の樹木の枝の損傷防止用支持具。
【請求項７】
前記支柱が少なくとも２本の筒状体又は棒状体を接続して形成される場合には、その接続部に設けられる中間ジョイントを備え、
当該中間ジョイントには、鍔部が形成され、
当該鍔部には、吊紐が取り付けられるフックが掛止される複数の掛止孔が設けられていることを特徴とする請求項１乃至６の何れかに記載の樹木の枝の損傷防止用支持具。
【考案の詳細な説明】
【技術分野】
【０００１】
本考案は、樹木の枝の損傷防止用支持具に関し、詳細には、樹木の枝を積雪から保護する雪吊り作業に用いる樹木の枝の損傷防止用支持具に関するものである。
【背景技術】
【０００２】
従来、冬期に積雪が多い地方では、樹木の枝が積雪の重みにより折れないようにするために、枝を吊紐でつり上げる雪吊りが行われている。この雪吊り作業には、通常、１本の長い竿や丸太を支柱として立設し、その支柱の先端に多数の吊紐を宝珠状に結束し、その垂下した吊紐を樹木の枝に縛り付けて、枝を釣るようにしている。この雪吊り作業を容易にするために、継ぎ足し可能な連接棒の上端部に円盤状の頂冠具を設け、当該頂冠具の円周に沿って複数の孔部を穿設し、当該孔部にフックを掛けて、当該フックに吊紐の環状端部を引っ掛けるようにした雪吊りセットが提案されている（特許文献１参照）。
【０００３】
また、円筒体の側面に吊り紐を挿通するための穿孔が連続的に設けられると共に当該円筒体の中心方向に向かい所定角度毎に円筒体の外側から締め付けボルトが螺着されている雪吊用補助具が提案されている（特許文献２参照）。
【特許文献１】実用新案登録第３０３１３０５号公報
【特許文献２】実用新案登録第３１０８３４０号公報
【考案の開示】
【考案が解決しようとする課題】
【０００４】
しかしながら、特許文献１に記載の雪吊りセットでは、支柱を構成する３本の連接棒の内、一番下になる連接棒の下端部が円錐状に尖っているので、地面に打ち込み易いが、支柱には、吊紐により地面方向への付勢力が印加されるので、時間の経過と共に連接棒の円錐状の下端部が地面に潜り、吊紐が緩んで樹木の枝がきちんと支えられないという問題点がある。また、特許文献１に記載の雪吊りセットでは、セットの連接棒しか支柱に使用できないという問題点があった。
【０００５】
また、特許文献２に記載の雪吊用補助具では、円筒体に吊紐により地面方向への付勢力が印加されるので、締め付けボルトが緩むと円筒体が支柱に沿って地面方向にずり下がり、吊紐が緩んで樹木の枝がきちんと支えられないという問題点があった。
【０００６】
本考案は、上記従来の問題点を解決するためになされたものであり、設置後に支柱が地面に潜り込むことなく、また、頂冠具がずり下がることなく、且つ、汎用のパイプや丸太を支柱として使用して、容易に雪吊りができる樹木の枝の損傷防止用支持具を実現することを目的とする。
【課題を解決するための手段】
【０００７】
本考案は、上記課題を解決するために成されたものであり、請求項１に係る考案の樹木の枝の損傷防止用支持具は、支柱の上部に固定される頂冠具と、当該支柱の下端部に固定される基台とを備え、前記頂冠具は、支柱の上部が固定される支柱上部固定部と、吊紐が取り付けられるフックが掛止される複数の掛止孔とを備え、前記基台は、支柱の下部が固定される支柱下部固定部と、前記支柱の断面積より広い底面積を有する接地部材とを備えている。
【０００８】
また、請求項２に係る樹木の枝の損傷防止用支持具は、請求項１に記載の考案の構成に加え、前記頂冠具の支柱上部固定部は、当該頂冠具の下面の中心部に設けられた筒状体であり、当該筒状体には、その口径方向に貫通する第１のボルトが設けられ、当該第１のボルトが前記支柱の上部を貫通して、前記頂冠具を前記支柱の上部に固定することを特徴とする。
【０００９】
また、請求項３に係る樹木の枝の損傷防止用支持具は、請求項１に記載の考案の構成に加え、前記頂冠具の支柱上部固定部は、当該頂冠具の中心部に螺設された第２のボルトであり、当該第２のボルトの先端部を前記支柱の上端部に打ち込まれたアンカーに螺合させて、前記頂冠具が前記支柱の上部に固定されることを特徴とする。
【００１０】
また、請求項４に係る樹木の枝の損傷防止用支持具は、請求項１に記載の考案の構成に加え、前記頂冠具の支柱上部固定部は、当該頂冠具の下面の中心部に、同心円状に設けられた複数の筒状体であり、当該複数の筒状体の間に、パイプから構成された支柱の上部が貫入して前記頂冠具を前記支柱の上部に固定することを特徴とする。
【００１１】
また、請求項５に係る樹木の枝の損傷防止用支持具は、請求項１に記載の考案の構成に加え、前記頂冠具の支柱上部固定部は、当該頂冠具の中心部に溶接された第３のボルトであり、当該第３のボルトの先端部を前記支柱の上端部に打ち込まれたアンカーに螺合させて、前記頂冠具が前記支柱の上部に固定されることを特徴とする。
【００１２】
また、請求項６に係る樹木の枝の損傷防止用支持具は、請求項１乃至５の何れかに記載の考案の構成に加え、前記基台の接地部材は板状部材から構成され、当該板状部材にはボルト又は杭を貫通させる貫通孔が複数孔設され、前記板状部材の中央には、支柱の下部が挿入又は外嵌される支柱下部固定部としての筒状体が立設されていることを特徴とする。
【００１３】
また、請求項７に係る樹木の枝の損傷防止用支持具は、請求項１乃至６の何れかに記載の考案の構成に加え、前記支柱が少なくとも２本の筒状体又は棒状体を接続して形成される場合には、その接続部に設けられる中間ジョイントを備え、当該中間ジョイントには、鍔部が形成され、当該鍔部には、吊紐が取り付けられるフックが掛止される複数の掛止孔が設けられていることを特徴とする。
【考案の効果】
【００１４】
請求項１に係る樹木の枝の損傷防止用支持具では、支柱は、基台により地面に立設され、支柱の上部に固定される頂冠具の掛止孔にフックが掛止され、当該フックに結ばれた吊紐により樹木の枝が支持されて雪吊りされる。ここで、支柱は、支柱の断面積より広い底面積を有する接地部材を有する基台により、地面に立設されるので、地面に支柱が潜り込むことを防止できる。また、頂冠具の掛止孔に掛止されたフックに結ばれた吊紐により容易に樹木の枝の雪吊り作業を行うことができる。
【００１５】
また、請求項２に係る樹木の枝の損傷防止用支持具では、請求項１に係る考案の効果に加え、頂冠具の支柱上部固定部は、頂冠具の下面の中心部に設けられた筒状体であり、当該筒状体の口径方向に貫通する第１のボルトが前記支柱の上部を貫通して、頂冠具が支柱の上部に固定されるので、時間の経過により頂冠具が下方にずれることを防止できる。
【００１６】
また、請求項３に係る樹木の枝の損傷防止用支持具では、請求項１に係る考案の効果に加え、頂冠具の支柱上部固定部は、頂冠具の中心部に螺設された第２のボルトであり、当該第２のボルトの先端部を支柱の上端部に打ち込まれたアンカーに螺合させて、頂冠具が前記支柱の上部に固定されるので、時間の経過により頂冠具が下方にずれることを防止できる。
【００１７】
また、請求項４に係る樹木の枝の損傷防止用支持具では、請求項１に係る考案の効果に加え、頂冠具の支柱上部固定部は、頂冠具の下面の中心部に、同心円状に設けられた複数の筒状体であり、複数の筒状体の間に、パイプから構成された支柱の上部が貫入して頂冠具を当該支柱の上部に固定することができる。
【００１８】
また、請求項５に係る樹木の枝の損傷防止用支持具では、請求項１に記載の考案の効果に加え、頂冠具の支柱上部固定部は、当該頂冠具の中心部に溶接された第３のボルトであり、当該第３のボルトの先端部を前記支柱の上端部に打ち込まれたアンカーに螺合させて、頂冠具を前記支柱の上部に固定することができる。
【００１９】
また、請求項６に係る樹木の枝の損傷防止用支持具では、請求項１乃至５の何れかに記載の考案の効果に加え、基台の接地部材は板状部材から構成され、当該板状部材にはボルト又は杭を貫通させる貫通孔が複数孔設され、当該板状部材の中央には、支柱の下部が挿入又は外嵌される支柱下部固定部としての筒状体が立設されているので、支柱が地面に潜り込むことを防止できると共に基台の固定を容易にできる。
【００２０】
また、請求項７に係る樹木の枝の損傷防止用支持具では、請求項１乃至６の何れかに記載の考案の効果に加え、支柱が少なくとも２本の筒状体又は棒状体を接続して形成される場合には、その接続部に設けられる中間ジョイントを備え、中間ジョイントには、鍔部が形成され、当該鍔部には、吊紐が取り付けられるフックが掛止される複数の掛止孔が設けられているので、支柱の中間部分からも吊紐を垂下して雪吊りを行うことができる。
【考案を実施するための最良の形態】
【００２１】
以下、本考案の一実施の形態である樹木の枝の損傷防止用支持具１について、図面を参照して説明する。図１は、樹木の枝の損傷防止用支持具１を使用した雪吊りの状態を示す正面図である。
【００２２】
まず、図１を参照して、樹木の枝の損傷防止用支持具１の構造を説明する。本考案の樹木の枝の損傷防止用支持具１は、積雪地帯での樹木の雪吊りに使用されるものである。図１に示すように、樹木の枝の損傷防止用支持具１は、支柱２（一例として、金属製のパイプ又は丸太）の上部に固定される頂冠具１０と、支柱２の下部に固定される基台３とから構成されている。また、頂冠具１０の掛止孔１３に掛止されたフック１４に、吊紐１８の上端部の環状部１８ａが引っ掛けられ、吊紐１８の下端部が樹木１９の枝１９ａに結束されて、雪吊りがなされる。この環状部１８ａは、細いアルミパイプを切断して形成したアルミ胴筒１８ｅにより、ループ状になった吊紐１８の先端部を固定したもので、アルミ胴筒１８ｅをずらすことにより環状部１８ａは自由に大きさを変更可能となっている。
【００２３】
尚、図１に示すように、支柱２の下端部は、基台３により地面Ｇ上に接地されて支持されているが、この基台３は、平面視、四角形の板状部材（一例として、所定の厚みの金属板）から構成された接地部材５に、ボルト又は杭４を貫通させる貫通孔が複数孔設され、板状部材である接地部材５の中央には、支柱２の下部が挿入又は外嵌される支柱下部固定部としての筒状体６（一例として、金属製のパイプ）が立設されている。
【００２４】
次に、図１乃至３を参照して、頂冠具１０の構造の詳細を説明する。図２は、頂冠具１０の縦断面図であり、図３は、頂冠具１０の平面図である。図１乃至３に示すように、頂冠具１０は、支柱上部固定部としての筒状体１１（一例として、金属製のパイプ）をその中心部に備えており、その筒状体１１の周囲に円盤状の板材からなる鍔部１５（一例として、金属製の円盤）が設けられている。そして、鍔部１５の外周部は、所定幅で斜め下方に折り曲げられた傾斜部１５ａとなっており、その傾斜部１５ａにフック１４が掛止される掛止孔１３が複数孔設されている。そして、このフック１４に、吊紐１８の上端部の環状部１８ａが引っ掛けられるようになっている。また、筒状体１１には、その口径方向に貫通するボルト１２が設けられ、当該ボルト１２は、ナット１２ａにより筒状体１１に固定されるようになっている。従って、支柱２の上部にボルト１２の貫通する貫通孔を開けておけば、支柱２の上部を筒状体１１に貫入して、ボルト１２及びナット１２ａにより、頂冠具１０を支柱２の上部に固定できる。尚、ボルト１２が、請求項に言う、「第１のボルト」に相当する。
【００２５】
次に、図４を参照して、吊紐１８の変形例の吊紐１８ｃについて説明する。図４は、吊紐１８ｃの平面図である。図４に示すように、吊紐１８ｃは、所定幅を有するベルト部１８ｄから構成され、その上端部に環状部１８ａが設けられ、その下端部に環状部１８ｂが設けられている。この吊紐１８ｃを用いることにより、大きな荷重を支えることが可能となり、また、吊紐１８ｃ同士が絡み難くなる。
【００２６】
次に、図５を参照して、頂冠具１０の変形例である頂冠具２０を説明する。図５は、頂冠具２０の縦断面図である。図５に示すように、頂冠具２０は、中心に孔を有する円盤状の板材からなる円盤部２５（一例として、ステンレス、アルミ、銅、鋳鉄、青銅等からなる金属製の円盤）から構成され、そして、円盤部２５の外周部は、所定幅で斜め下方に折り曲げられた傾斜部２５ａとなっており、その傾斜部２５ａにフック２４が掛止される掛止孔２３が複数孔設されている。そして、このフック２４に、吊紐１８の上端部の環状部１８ａが引っ掛けられるようになっている。また、円盤部２５の上面の中心の孔を貫通するボルト２１には、円盤部２５の上面側に、ワッシャ２２ａ及びナット２２ｂが螺設され、円盤部２５の下面側に、ワッシャ２２ｃ及びナット２２ｄが螺設されて、円盤部２５にボルト２１が固定されている。また、ボルト２１の先端部が、丸太等の円柱部材から構成された支柱２の上端部に穿設された孔２７に打ち込まれたアンカー２６に螺合されて、支柱２の上端部に頂冠具２０が固定される。尚、ボルト２１が、請求項に言う、「第２のボルト」に相当する。尚、ボルト２１の上端側は、そのまま螺子になっているので、スプリンクラーや風見鶏等の飾りを螺合して固定可能となっている。
【００２７】
次に、図６及び図７を参照して、頂冠具１０の変形例である頂冠具３０を説明する。図６は、頂冠具３０の縦断面図であり、図７は、頂冠具３０の裏面図である。図６に示すように、頂冠具３０は、中心に孔を有する円盤状の板材からなる円盤部３５（一例として、ステンレス、アルミ、銅、鋳鉄、青銅等からなる金属製の円盤）から構成され、そして、円盤部３５の外周部は、所定幅で下方に折り曲げられた折曲部３５ａとなっており、その折曲部３５ａにフック３４が掛止される掛止孔３３が複数孔設されている。そして、このフック３４に、吊紐１８の上端部の環状部１８ａが引っ掛けられるようになっている。また、円盤部３５の上面側の中心の孔を貫通するボルト３１には、円盤部３５の上面側に、ワッシャ３２ａ及びナット３２ｂが螺設され、円盤部３５の下面側に、ワッシャ３２ｃ及びナット３２ｄが螺設されて、円盤部３５にボルト３１が固定されている。また、図７に示すように、円盤部３５の下面（裏面）側には、支柱上部固定部として、同心状に配置された複数の口径の異なる筒状体３６ａ〜３６ｅが設けられている。一例として、円盤部３５が金属板の場合には、筒状体３６ａ〜３６ｅを口径の異なる金属パイプから構成し、その金属パイプを円盤部３５の下面に溶接しておく。従って、筒状体３６ａ〜３６ｅの間の何れかの隙間にパイプから構成された支柱２を貫入させて支柱２の上部に頂冠具３０が固定される。尚、ボルト３１の上端側は、そのまま螺子になっているので、スプリンクラーや風見鶏等の飾りを螺合して固定可能となっている。
【００２８】
次に、図８及び図９を参照して、頂冠具１０の変形例である頂冠具４０を説明する。図８は、頂冠具４０の側面図であり、図９は、頂冠具４０の平面図である。図８及び図９に示すように、頂冠具４０は、中心に貫通孔を備え、お椀を伏せた形状に形成された椀状部４５の中央に支柱上部固定部としての筒状体４１（一例として、金属製のパイプ）を備えている。そして、筒状体４１の外周部には、フック４４が掛止される掛止孔４３が複数孔設されている。そして、このフック４４に、吊紐１８の上端部の環状部１８ａが引っ掛けられるようになっている。また、筒状体４１には、その口径方向に貫通するボルト４２が設けられ、当該ボルト４２は、ナット４２ａにより筒状体４１に固定されるようになっている。従って、支柱２の上部にボルト４２の貫通する貫通孔を開けておけば、支柱２の上部を筒状体４１に貫入して、ボルト４２及びナット４２ａにより、頂冠具４０を支柱２の上部に固定できる。尚、ボルト４２が、請求項に言う、「第１のボルト」に相当する。
【００２９】
次に、図１０及び図１１を参照して、頂冠具１０の変形例である頂冠具５０を説明する。図１０は、頂冠具５０の側面図であり、図１１は、頂冠具４０の裏面図である。図１０及び図１１に示すように、頂冠具５０は、円盤状の板材からなる円盤部５５（一例として、金属製の円盤）から構成され、円盤状に形成された円盤部５５の下面側の中央に支柱上部固定部としてのボルト５１が溶接され、当該ボルト５１のねじ部５１ａを支柱２の上端部に打ち込まれたアンカー（図示外）に螺合させて、頂冠具５０が支柱２の上部に固定されるようになっている。また、円盤部５５の外周部には、フックが掛止される掛止孔５３が複数孔設されている。尚、ボルト５１が、請求項に言う、「第３のボルト」に相当する。
【００３０】
次に、図１２及び図１３を参照して、頂冠具１０の変形例である頂冠具６０を説明する。図１２は、頂冠具６０の側面図であり、図１３は、頂冠具６０の平面図である。図１２及び図１３に示すように、頂冠具６０は、中心に支柱２が貫入される支柱上部固定部としての筒状体６１（一例としてパイプ）を備え、筒状体６１から、ロッドパイプ６４ａ及び６４ｂを十字状に延設して、周囲をロッドパイプ６４ｃ及び６４ｄで、矩形に囲んだ形状になっている。従って、ロッドパイプ６４ａ〜６４ｄに吊紐１８の上端部を結ぶことにより、雪吊りを行うことができる。
【００３１】
次に、図１４を参照して、頂冠具１０の変形例である頂冠具７０を説明する。図１４は、頂冠具７０の平面図である。図１４に示すように、頂冠具７０は、中心に支柱２が貫入される支柱上部固定部としての筒状体７１（一例としてパイプ）を備え、筒状体７１から、ロッドパイプ７４を放射状に延設して、周囲を環状のロッドパイプ７３で囲んだ形状になっている。従って、ロッドパイプ７３〜７４に吊紐１８の上端部を結ぶことにより、雪吊りを行うことができる。
【００３２】
次に、図１５及び図１６を参照して、頂冠具１０の変形例である頂冠具８０を説明する。図１５は、頂冠具８０の側面図であり、図１６は、頂冠具８０の平面図である。図１５及び図１６に示すように、頂冠具８０は、中心に孔を有する円盤状の板材からなる円盤部８５（一例として、金属製の円盤）から構成され、そして、円盤部８５の外周部から長いロッドパイプ８３ａと当該ロッドパイプ８３ａより短いロッドパイプ８３ｂを交互に放射状に斜め下方に延設している。そして、ロッドパイプ８３ａ及び８３ｂに環状のロッドパイプ８３ｃを接続して支持している。また、筒状体８１には、その口径方向に貫通するボルト８２が設けられ、当該ボルト８２は、ナット８２ａにより筒状体８１に固定されるようになっている。従って、支柱２の上部にボルト８２の貫通する貫通孔を開けておけば、支柱２の上部を筒状体８１に貫入して、ボルト８２及びナット８２ａにより、頂冠具８０を支柱２の上部に固定できる。尚、ロッドパイプ８３ａ〜８３ｃに吊紐１８の上端部を結ぶことにより、雪吊りを行うことができる。
【００３３】
次に、図１７を参照して、頂冠具９０の構造の詳細を説明する。図１７は、頂冠具９０の平面図である。図１７に示すように、頂冠具９０は、支柱上部固定部としての筒状体９１（一例として、金属製のパイプ）をその中心部に備えており、その筒状体９１の周囲に平面視、三角形の板材からなる鍔部９５（一例として、金属製の三角形の板材）が設けられている。そして、鍔部９５の外周部には、フック１４が掛止される掛止孔９３が複数孔設されている。また、筒状体９１には、その口径方向に貫通するボルト９２が設けられ、当該ボルト９２は、ナット９２ａにより筒状体９１に固定されるようになっている。従って、支柱２の上部にボルト９２の貫通する貫通孔を開けておけば、支柱２の上部を筒状体９１に貫入して、ボルト９２及びナット９２ａにより、頂冠具９０を支柱２の上部に固定できる。
【００３４】
次に、図１８乃至図２０を参照して、中間ジョイント１００について説明する。図１８は、中間ジョイント１００の縦断面図であり、図１９は、中間ジョイント１００の平面図であり、図２０は、中間ジョイント１００を用いた雪吊りを示す正面図である。図１８及び図１９に示すように、中間ジョイント１００は、円盤状の板材（一例として、所定厚の金属製の円盤）から構成された鍔部１０５の下面側に下側の支柱２ａの上部を固定する筒状体１１０（一例として、金属製のパイプ）を備えており、また、鍔部１０５の上面側に上側の支柱２ｂの下部を固定する筒状体１０１（一例として、金属製のパイプ）を備えている。筒状体１１０には、その口径方向に貫通するボルト１１２が設けられ、当該ボルト１１２は、ナット１１２ａにより筒状体１１０に固定されるようになっている。従って、下部の支柱２ａの上部にボルト１１２の貫通する貫通孔を開けておけば、支柱２ａの上部を筒状体１１０に貫入して、ボルト１１２及びナット１１２ａにより中間ジョイント１００に固定できる。また、筒状体１０１には、その口径方向に貫通するボルト１０２が設けられ、当該ボルト１０２は、ナット１０２ａにより筒状体１０１に固定されるようになっている。従って、上部の支柱２ｂの下部にボルト１０２の貫通する貫通孔を開けておけば、支柱２ｂの下部を筒状体１０１に貫入して、ボルト１０２及びナット１０２ａにより中間ジョイント１００に固定できる。さらに、鍔部１０５は、斜め下方に所定幅で折り曲げられて傾斜部１０５ａとなっており、当該傾斜部１０５ａには、吊紐が取り付けられるフック１０４が掛止される複数の掛止孔１０３が設けられている。
【００３５】
従って、図２０に示すように、中間ジョイント１００を用いると、支柱２ａ及び支柱２ｂを中間ジョイント１００により接続でき、さらに、頂冠具１０及び中間ジョイント１００により樹木１９の枝１９ａを吊紐１８で支持して雪吊りを行うことができる。
【００３６】
次に、図２１及び図２２を参照して、基台３の構造を説明する。図２１は、基台３の斜視図であり、図２２は、基台３の使用時の斜視図である。図２１及び図２２に示すように、基台３は、平面視、矩形の所定厚の金属板から構成された接地部材５の上面の中央に、支柱２の下部が挿入又は外嵌される支柱下部固定部としての筒状体６（一例として、金属製のパイプ）が溶接されており、接地部材５の四隅には、杭４を貫通する貫通孔７が穿設されている。従って、接地部材５の四隅の貫通孔７に杭４を打ち込むことにより基台３を地面に固定できる。尚、杭４に代えてボルト等を用いて基台３を固定しても良い。尚、接地部材５は、支柱２の断面積より広い接地面積を有しているので、積雪の加重により支柱２が地面に潜り込むことを防止できる。従って、吊紐１８が緩むのを防止できる。
【００３７】
以上説明したように、本実施の形態の樹木の枝の損傷防止用支持具１では、容易に、雪吊り作業をすることができ、また、頂冠具が支柱２に対して、ずり下がることが無く、また、支柱２が地面に潜り込むことを防止でき、吊紐１８が緩むのを防止できる。
【図面の簡単な説明】
【００３８】
【図１】樹木の枝の損傷防止用支持具１を使用した雪吊りの状態を示す正面図である。
【図２】頂冠具１０の縦断面図である。
【図３】頂冠具１０の平面図である。
【図４】吊紐１８ｃの平面図である。
【図５】頂冠具２０の縦断面図である。
【図６】頂冠具３０の縦断面図である。
【図７】頂冠具３０の裏面図である。
【図８】頂冠具４０の側面図である。
【図９】頂冠具４０の平面図である。
【図１０】頂冠具５０の側面図である。
【図１１】頂冠具４０の裏面図である。
【図１２】頂冠具６０の側面図である。
【図１３】頂冠具６０の平面図である。
【図１４】頂冠具７０の平面図である。
【図１５】頂冠具８０の側面図である。
【図１６】頂冠具８０の平面図である。
【図１７】頂冠具９０の平面図である。
【図１８】中間ジョイント１００の縦断面図である。
【図１９】中間ジョイント１００の平面図である。
【図２０】中間ジョイント１００を用いた雪吊りを示す正面図である。
【図２１】基台３の斜視図である。
【図２２】基台３の使用時の斜視図である。
【符号の説明】
【００３９】
１   損傷防止用支持具
２   支柱
３   基台
４   杭
５   接地部材
７   貫通孔
１０   頂冠具
１１   筒状体
１２   ボルト
１２ａ ナット
１３   掛止孔
１４   フック
１５   鍔部
１５ａ 傾斜部
１８   吊紐
１８ａ 環状部
１８ｂ 環状部
１８ｄ ベルト部
１９   樹木
１９ａ 枝
２０   頂冠具
２１   ボルト
２２   ナット
２２ａ ワッシャ
２５   円盤部
２５ａ 傾斜部
２７ 孔
３０   頂冠具
３５   円盤部
３５ａ 折曲部
３６ａ〜３６ｅ 筒状体
４０ 頂冠具
４１ 筒状体
４２ ボルト
４２ａ ナット
４５ 椀状部
５０ 頂冠具
５１ ボルト
５３ 掛止孔
５５ 円盤部
６０ 頂冠具
６１ 筒状体
６４ａ〜６４ｄ ロッド
７０ 頂冠具
７１ 筒状体
７３、７４ ロッドパイプ
８０ 頂冠具
８１ 筒状体
８２ ボルト
８２ａ ナット
８３ａ〜８３ｃ ロッドパイプ
８５ 円盤部
９０ 頂冠具
９１ 筒状体
９２ ボルト
９２ａ ナット
９３ 掛止孔
９５ 鍔部
１００ 中間ジョイント
１０１ 筒状体
１０２ ボルト
１０２ａ ナット
１０５ 鍔部
１０５ａ 傾斜部
１１０ 筒状体
１１２ ボルト
１１２ａ ナット
【図１】
0003120798.tif 000003
【図２】
0003120798.tif 000004
【図３】
0003120798.tif 000005
【図４】
0003120798.tif 000006
【図５】
0003120798.tif 000007
【図６】
0003120798.tif 000008
【図７】
0003120798.tif 000009
【図８】
0003120798.tif 000010
【図９】
0003120798.tif 000011
【図１０】
0003120798.tif 000012
【図１１】
0003120798.tif 000013
【図１２】
0003120798.tif 000014
【図１３】
0003120798.tif 000015
【図１４】
0003120798.tif 000016
【図１５】
0003120798.tif 000017
【図１６】
0003120798.tif 000018
【図１７】
0003120798.tif 000019
【図１８】
0003120798.tif 000020
【図１９】
0003120798.tif 000021
【図２０】
0003120798.tif 000022
【図２１】
0003120798.tif 000023
【図２２】
0003120798.tif 000024